(57)【要約】    【課題】  操作に手間を掛けることなく、撮像された画像を印刷出力することができるデジタルカメラを提供する。    【解決手段】  デジタルカメラ１０１においては、まず、ＩｒＤＡの通信プロトコルに従いプリンタ１０２との通信コネクションが赤外線Ｉ／Ｆ１０３を介して設定される。次いで、プリントモード設定用ダイヤログデータが液晶表示部２０８に表示され、押下されたスイッチにより選択指示されたモードの設定要求が赤外線Ｉ／Ｆ１０３を介してプリンタ１０２に送信される。そして、選択指示されたプリントモードの設定要求を送信した後、プリンタ１０２からの画像データ送信要求を受信すると、フラッシュメモリ２０４から画像データが読み出されて、赤外線Ｉ／Ｆ１０３を介してプリンタ１０２に送信される。【選択図】      図１
2005110303.tif 000002
【特許請求の範囲】
【請求項１】
画像データを記憶する記憶手段を有し、プリンタと通信して画像データを送信可能なデジタルカメラであって、
画像を表示する表示手段と、
前記プリンタとの通信が開始されたことに応じて、前記表示手段にプリントモード設定用画面を表示させる表示制御手段と、
前記プリントモード設定用画面に基づいて選択されたプリントモードの設定要求を送信する送信手段とを備え、
前記送信手段で前記選択されたプリントモードの設定要求を送信した後に、前記プリンタから送信される画像データ送信要求に基づいて、前記記憶手段に記憶されている画像データを前記プリンタに送信することを特徴とするデジタルカメラ。
【請求項２】
前記プリントモードは、プリント画質に関する設定を含むことを特徴とする請求項１に記載のデジタルカメラ。
【請求項３】
前記プリントモードは、プリント速度に関する設定を含むことを特徴とする請求項１に記載のデジタルカメラ。
【請求項４】
さらに前記プリンタとの通信の開始を指示する操作部を有することを特徴とする請求項１ないし３のいずれか１つに記載のデジタルカメラ。
【請求項５】
前記プリンタの画像データの送信が完了したことに応じて前記通信の切断要求を前記プリンタに送信することを特徴とする請求項１ないし４のいずれか１つに記載のデジタルカメラ。
【請求項６】
デジタルカメラと通信可能なプリンタであって、
前記デジタルカメラとの通信開始後、前記デジタルカメラからプリントモードの設定要求を受信する受信手段と、
前記設定要求の受信後に前記デジタルカメラに画像データの送信要求を送信する送信手段と、
前記送信要求に応じて前記デジタルカメラから送信された画像データを、前記設定要求に従ったプリントモードに従ったプリントデータに変換する変換手段と、
前記プリントデータをプリントするプリント手段と
を有することを特徴とするプリンタ。
【請求項７】
前記プリントモードは、プリント画質に関する設定を含むことを特徴とする請求項６に記載のプリンタ。
【請求項８】
前記プリントモードは、プリント速度に関する設定を含むことを特徴とする請求項６に記載のプリンタ。
【請求項９】
前記送信手段は、画像データを前記設定要求に対応するプリントモードでプリントデータへ変換するための環境が設定されたことに応じて、前記送信要求を送信することを特徴とする請求項６ないし８のいずれか１つに記載のプリンタ。
【請求項１０】
画像を表示する表示手段および画像データを記憶する記憶手段を有し、プリンタと通信して画像データを送信可能なデジタルカメラの制御方法であって、
前記プリンタとの通信が開始されたことに応じて、前記表示手段にプリントモード設定用の画面を表示させる表示制御工程と、
前記画面に基づいて選択されたプリントモードの設定要求を送信する送信工程と、
前記送信工程で前記選択されたプリントモードの設定要求を送信した後に、前記プリンタから送信される画像データ送信要求に基づいて、前記記憶手段に記憶されている画像データを前記プリンタに送信する工程と
有することを特徴とするデジタルカメラの制御方法。
【請求項１１】
デジタルカメラと通信可能なプリンタの制御方法であって、
前記デジタルカメラとの通信開始後、前記デジタルカメラからプリントモードの設定要求を受信する受信工程と、
前記設定要求の受信後に前記デジタルカメラに画像データの送信要求を送信する送信工程と、
前記送信要求に応じて前記デジタルカメラから送信された画像データを、前記設定要求に従ったプリントモードに従ったプリントデータに変換する変換工程と、
前記プリントデータをプリントするプリント工程と
を有することを特徴とするプリンタの制御方法。
【発明の詳細な説明】
【技術分野】
【０００１】
本発明は、プリンタと通信して画像データを送信可能なデジタルカメラ、デジタルカメラと通信可能なプリンタ、デジタルカメラの制御方法およびプリンタの制御方法に関する。
【背景技術】
【０００２】
一般に、デジタルカメラで撮像された画像をプリンタで印刷出力するための画像プリントシステムには、パーソナルコンピュータ（以下、ＰＣという）が用いられ、ＰＣは撮像装置から画像データを取り込み、該画像データをプリンタが印刷処理可能なプリントデータに変換してプリンタへ出力する。
【０００３】
この画像プリントシステムについて図２１を参照しながら具体的に説明する。図２１は従来の画像プリントシステムの構成例を示す図である。
【０００４】
画像プリントシステムは、図２１に示すように、デジタルカメラ１００１と、ＰＣ１００２と、プリンタ１００３とから構成され、デジタルカメラ１００１とＰＣ１００２とは例えばＲＳ２３２Ｃなどの通信ケーブル１００４を介して通信可能に接続され、ＰＣ１００２とプリンタ１００３とは例えばセントロニクスなどの通信ケーブル１００５を介して通信可能に接続されている。
【０００５】
デジタルカメラ１００１で撮像した画像は画像データとしてデジタルカメラ１００１に装着されているフラッシュメモリに一時的に蓄積される。この撮像した画像を印刷出力するときには、まず、デジタルカメラ１００１とＰＣ１００２とが通信ケーブル１００４で接続され、ＰＣ１００２上において通信ソフトウェアが起動される。次いで、この通信ソフトウェアによりデジタルカメラ１００１内の通信ソフトウェアとの間で通信が行われ、デジタルカメラ１００１のフラッシュメモリに蓄積されている画像データが通信ケーブル１００４を介してＰＣ１００２に伝送される。この伝送された画像データはＰＣ１００２のハードディスクなどに一時的に蓄積される。
【０００６】
デジタルカメラ１００１からの画像データがＰＣ１００２に取り込まれると、ＰＣ１００２上においてプリンタ１００３用のプリンタドライバが起動され、このプリンタドライバによりデジタルカメラ１００１から取り込まれた画像データはプリンタ１００３が印刷処理可能なプリントデータに変換された後に通信ケーブル１００５を介してプリンタ１００３に出力される。プリンタ１００３は、通信ケーブル１００５を介してプリントデータを取り込み、このプリントデータに基づき該プリントデータが示す画像を印刷用紙に印刷して出力する。
【特許文献１】特開平８−２９８６１２号公報
【発明の開示】
【発明が解決しようとする課題】
【０００７】
しかし、上述の従来の画像プリントシステムでは、デジタルカメラ１００１の画像データをＰＣ１００２に取り込むための通信ケーブル１００４の接続、通信ソフトウェアの起動、取り込んだ画像データをプリントデータに変換して出力するためのプリンタドライバの起動などのＰＣ１００２上における操作、作業が必要であるから、デジタルカメラで撮像された画像の印刷出力を得るための操作に繁雑な手間が掛り、面倒である。
【０００８】
本発明の目的は、操作に手間を掛けることなく、撮像された画像を印刷出力することができるデジタルカメラ、プリンタ、デジタルカメラの制御方法およびプリンタの制御方法を提供することにある。
【課題を解決するための手段】
【０００９】
本発明は、上記目的を達成するため、画像データを記憶する記憶手段を有し、プリンタと通信して画像データを送信可能なデジタルカメラであって、画像を表示する表示手段と、前記プリンタとの通信が開始されたことに応じて、前記表示手段にプリントモード設定用画面を表示させる表示制御手段と、前記プリントモード設定用画面に基づいて選択されたプリントモードの設定要求を送信する送信手段とを備え、前記送信手段で前記選択されたプリントモードの設定要求を送信した後に、前記プリンタから送信される画像データ送信要求に基づいて、前記記憶手段に記憶されている画像データを前記プリンタに送信することを特徴とするデジタルカメラを提供する。
【００１０】
本発明は、上記目的を達成するため、デジタルカメラと通信可能なプリンタであって、前記デジタルカメラとの通信開始後、前記デジタルカメラからプリントモードの設定要求を受信する受信手段と、前記設定要求の受信後に前記デジタルカメラに画像データの送信要求を送信する送信手段と、前記送信要求に応じて前記デジタルカメラから送信された画像データを、前記設定要求に従ったプリントモードに従ったプリントデータに変換する変換手段と、前記プリントデータをプリントするプリント手段とを有することを特徴とするプリンタを提供する。
【００１１】
本発明は、上記目的を達成するため、画像を表示する表示手段および画像データを記憶する記憶手段を有し、プリンタと通信して画像データを送信可能なデジタルカメラの制御方法であって、前記プリンタとの通信が開始されたことに応じて、前記表示手段にプリントモード設定用の画面を表示させる表示制御工程と、前記画面に基づいて選択されたプリントモードの設定要求を送信する送信工程と、前記送信工程で前記選択されたプリントモードの設定要求を送信した後に、前記プリンタから送信される画像データ送信要求に基づいて、前記記憶手段に記憶されている画像データを前記プリンタに送信する工程とを有することを特徴とするデジタルカメラの制御方法を提供する。
【００１２】
本発明は、上記目的を達成するため、デジタルカメラと通信可能なプリンタの制御方法であって、前記デジタルカメラとの通信開始後、前記デジタルカメラからプリントモードの設定要求を受信する受信工程と、前記設定要求の受信後に前記デジタルカメラに画像データの送信要求を送信する送信工程と、前記送信要求に応じて前記デジタルカメラから送信された画像データを、前記設定要求に従ったプリントモードに従ったプリントデータに変換する変換工程と、前記プリントデータをプリントするプリント工程とを有することを特徴とするプリンタの制御方法を提供する。
【発明の効果】
【００１３】
本発明によれば、プリンタとの通信が開始されたことに応じて、表示手段にプリントモード設定用の画面を表示されるので、画像プリントアウトのための操作に掛かる手間が軽減される。また、プリントモードの設定要求を送信した後、プリンタからの要求により画像データをプリンタに送信することができるので、画像の送信についてプリンタがデジタルカメラを制御することができる。その結果、操作に手間を掛けることなく、撮像された画像を印刷出力することができる。
【００１４】
また、例えば、プリンタではプリントモードに従った環境を整えてからプリントのための画像データを要求することも可能になる。
【発明を実施するための最良の形態】
【００１５】
以下、本発明の実施の形態について図面を参照しながら説明する。
【００１６】
（第１の実施の形態）
図１は本発明の第１の実施の形態に係る画像プリントシステムの構成を示すブロック図である。
【００１７】
画像プリントシステムは、図１に示すように、赤外線Ｉ／Ｆ（赤外線インタフェイス）１０３が設けられているデジタルスチルカメラ（以下、デジタルカメラという）１０１と、赤外線Ｉ／Ｆ１０４が設けられているプリンタ１０２とを備え、デジタルカメラ１０１とプリンタ１０２との間では、それぞれの赤外線Ｉ／Ｆ１０３，１０４を介して赤外線１０５をやり取りすることにより通信が行われる。デジタルカメラ１０１は撮像した画像の画像データをフラッシュメモリに蓄積し、このフラッシュメモリに蓄積された画像データを印刷出力するときには、この画像データが赤外線Ｉ／Ｆ１０３からの赤外線１０５により搬送される。この赤外線１０５はプリンタ１０２の赤外線Ｉ／Ｆ１０４で受光され、この赤外線から画像データが取り出される。取り出された画像データはプリンタ１０２上で起動されたプリントデータ変換ソフトにより印刷処理可能なプリントデータに変換され、このプリントデータに基づき該データに対応する画像の印刷出力が行われる。
【００１８】
このプリントデータ変換ソフトはデジタルカメラ１０１に搭載され、画像の印刷出力前にデジタルカメラ１０１から赤外線Ｉ／Ｆ１０３を介してプリンタ１０２に送信される。プリンタ１０２はデジタルカメラ１０２から送信されたプリントデータ変換ソフトを赤外線Ｉ／Ｆ１０４を介して取り込み、メモリなどに保持する。このプリントデータ変換ソフトとは、例えばＴＩＦＦ形式、ＪＰＥＧ形式などのデジタルカメラ１０１が採用するデータ形式の画像データをプリンタ１０２が処理可能なデータ形式のプリントデータに変換するプログラムからなり、例えばデジタルカメラ１０１が採用するデータ形式がＴＩＦＦ形式でありプリンタ１０２がインクジェットプリンタであるときには、ＴＩＦＦ形式の画像データはＹＭＣＫの各色データに変換される。また、プリントデータ変換ソフトには、画像データが圧縮されているときに該画像データを解凍するための処理が記述されている。さらに、プリントデータ変換ソフトには、各種プリントモードを設定するためのモード設定処理が含まれ、設定されたモードに応じて画像データを設定されたモードに対応するプリントデータに変換することが可能である。
【００１９】
なお、本プリンタ１０２は、上述したようにデジタルカメラ１０２に対してはその画像データを直接取り込み、プリント出力を行うが、これに加えてパーソナルコンピュータと接続ケーブルを介して接続し、この接続ケーブルを介して入力されるパーソナルコンピュータ上で作成された画像、文書などをプリント出力する機能を合わせて搭載することによって、汎用性を有する装置として構成することもできる。
【００２０】
次に、デジタルカメラおよびプリンタの詳細な構成について図２ないし図４を参照しながら説明する。図２は図１のデジタルカメラの構成を示すブロック図、図３は図１のプリンタの構成を示すブロック図、図４は図１のデジタルカメラの背面側を示す外観図である。
【００２１】
デジタルカメラ１０１は、図２に示すように、画像を撮像し、該画像を示す画像信号を生成する撮像部２０５を有し、撮像部２０５で生成された画像信号は色処理変換部２０６に与えられる。色処理変換部２０６は色変換処理により画像信号を画像データに変換し、この画像データは画像メモリ２０７に一旦蓄積される。画像メモリ２０７に蓄積された画像データは液晶制御部２０９へまたは内部バス２１４を介してフラッシュメモリ２０４へ送出される。
【００２２】
液晶制御部２０９は、画像メモリ２０７から入力された画像データまたはＣＰＵ２０１からのデータを液晶表示２０８に表示するように液晶表示部２０８を駆動し、この駆動によって、液晶表示部２０８はファインダまたはモニタなどとして使用される。この液晶表示部２０８に表示されるＣＰＵ２０１からのデータとしては、撮影モードなどの各種設定情報、時刻情報などがあり、この時刻情報は計時装置２１５から取得される。この計時装置２１５はカレンダー機能を有し、デジタルカメラ１０１の電源オフ時に計時動作を続行可能なように二次電池２１６でバックアップされている。
【００２３】
フラッシュメモリ２０４は画像メモリ２０７から入力された画像データを蓄積し、フラッシュメモリ２０４に蓄積された画像データは内部バス２１４を介して赤外線Ｉ／Ｆ１０３に転送される。
【００２４】
赤外線Ｉ／Ｆ１０３は、内部バス２１４に接続されているＩｒＤＡ通信制御部２１２と、赤外線トランシーバ２１３とから構成されている。ＩｒＤＡ通信制御部２１２は、赤外線通信方式のひとつであるＩｒＤＡ（Infrared Data Association）方式に基づき変復調やシリアル通信制御を行い、この通信制御に従って赤外線トランシーバ２１３との間で信号の送受を行う。赤外線トランシーバ２１３は、ＩｒＤＡ通信制御部２１２から受けた信号を対応する赤外線に変換し、該赤外線を赤外線１０５として送出し、また赤外線１０５を受信して信号に変換し、該信号をＩｒＤＡ通信制御部２１２に送出する。このＩｒＤＡ方式は赤外線を利用した半二重通信であり、データを双方向で通信することが可能である。
【００２５】
上述の各ブロックは内部バス２１４を介してＣＰＵ２０１に接続され、ＣＰＵ２０１は、ＲＯＭ２０２に格納されている制御プログラムを読み出し、実行することによって上述の各ブロックに対する制御を行う。このＣＰＵ２０１の制御に伴うデータの一時格納領域、演算処理の作業領域としてはＲＡＭ２０３が用いられている。この制御プログラムには、カメラ全体の制御を記述したシステムプログラムと、撮影モードなどの個別制御が記述された複数の個別プログラムとが含まれ、各プログラムはスイッチ群２１１の操作状態に応じて読み出され実行される。また、ＲＯＭ２０２には上述の制御プログラムとともにプリントデータ変換ソフトが予め格納され、このプリントデータ変換ソフトはプリンタ１０２からの要求に応じて読み出されてプリンタ１０２に送出される。
【００２６】
スイッチ群２１１には、後述するように、シャッタースイッチ、モード切換スイッチ、電源スイッチ、画像データ選択スイッチなどの各スイッチが含まれている。スイッチ群２１１の各スイッチの操作状態は入力ポート２１０を介してＣＰＵ２０１に送出される。
【００２７】
このデジタルカメラ１０１においては、図４に示すように、ボディ４０１の上面にスイッチ群２１１を成すシャッタースイッチ４０４、モード切換スイッチ４０５、画像選択スイッチ４０６、電源スイッチ４０７、プリントスイッチ４０８などが配置されている。シャッタースイッチ４０４は、撮像２０５の撮像タイミングを指示するためのスイッチであり、モード切換スイッチ４０５は撮像モード／再生モードの切換を行うためのスイッチである。画像選択スイッチ４０６は再生モード設定時において液晶表示部に表示する画像をフラッシュメモリ２０４の画像の中から選択するためのスイッチであり、電源スイッチ４０７は電源のオン、オフを行うためのスイッチである。プリントスイッチ４０８はプリント出力するための画像データをプリンタ１０２に送信することを指示するためのスイッチである。また、ボディ４０１側面には、赤外線トランシーバ２１３からまたはプリンタ１０２からの赤外線が入出射する送受窓４０３が形成され、この送受窓４０３にはフィルタが嵌め込まれている。さらに、ボディ４０１背面には、液晶表示部２０８がその画面４０２を外部に露出するように配置されている。
【００２８】
プリンタ１０２は、図３に示すように、上述したように赤外線Ｉ／Ｆ１０４を有し、赤外線Ｉ／Ｆ１０４は、デジタルカメラ１０１の赤外線Ｉ／Ｆ１０３と同様に、内部バス３１０に接続されているＩｒＤＡ通信制御部３０５と、赤外線トランシーバ３０４とから構成されている。ＩｒＤＡ通信制御部３０５は、ＩｒＤＡ方式に基づき変復調やシリアル通信制御を行い、この通信制御により赤外線トランシーバ３０４との間で信号の送受を行う。赤外線トランシーバ３０４は、ＩｒＤＡ通信制御部３０５から受けた信号を対応する赤外線に変換し、該赤外線を赤外線１０５として送出し、また赤外線１０５を受信して信号に変換し、該信号をＩｒＤＡ通信制御部３０５に送出する。
【００２９】
赤外線Ｉ／Ｆ１０４でデジタルカメラ１０１からのプリントデータ変換ソフトを受信すると、プリントデータ変換ソフトは内部バス３１０を介してＲＡＭ３０３に一旦格納された後に読み出されてＣＰＵ３０１により起動され、プリンタ１０２にはデジタルカメラ１０１の画像データを印刷処理可能なプリントデータへ変換可能な環境が構築される。赤外線Ｉ／Ｆ１０４でデジタルカメラ１０１からの画像データを受信すると、受信した画像データは起動されたプリントデータ変換ソフトに従うＣＰＵ３０１の処理によりプリントデータに変換され、このプリンタデータは内部バス３１０を介してプリンタエンジン制御回路３０８に転送される。
【００３０】
プリンタエンジン制御回路３０８は、プリントデータに基づきプリンタエンジン３０９の駆動を制御し、この制御によりプリンタエンジン３０９は、プリンタデータに対応する画像を用紙に印刷して出力する。
【００３１】
ＣＰＵ３０１は上述の各ブロックと内部バス３１０を介して接続されているとともに、上述のプリンタデータ変換ソフトの実行とともに、各ブロックに対する制御をＲＯＭ３０２に格納されている制御プログラムに従い実行する。このＣＰＵ３０１の制御に伴うデータの一時格納領域、演算処理の作業領域としてはＲＡＭ３０３が用いられている。ＲＯＭ３０２に格納されている制御プログラムには、プリンタ全体の制御を記述したシステムプログラムと、各ブロックに対する個別制御が記述された複数の個別プログラムとが含まれ、各個別プログラムはスイッチ群３０７の操作状態に応じて読み出され実行される。
【００３２】
スイッチ群３０７には、モード切換スイッチ、電源スイッチ、排紙スイッチなどの各スイッチが含まれている。スイッチ群３０７の各スイッチの操作状態は入力ポート３０６を介してＣＰＵ３０１に送出される。
【００３３】
また、ＣＰＵ３０１はカレンダー機能を有する計時装置３１１から時刻情報を取得し、この時刻情報を用いてプリンタジョブの管理を行う。計時装置３１１はプリンタ１０２の電源オフ時に計時動作を続行可能なように二次電池３１２でバックアップされている。
【００３４】
次に、デジタルカメラ１０１で撮像した画像をプリンタ１０２でプリントアウトする場合の動作について図５ないし図８を参照しながら説明する。図５および図６は図１のデジタルカメラで撮像した画像をプリンタでプリントアウトする場合におけるデジタルカメラのＣＰＵによる制御動作を示すフローチャート、図７および図８は図１のデジタルカメラで撮像した画像をプリンタでプリントアウトする場合におけるプリンタのＣＰＵによる制御動作を示すフローチャート、図９は図１のデジタルカメラにおけるプリントモードの選択画面表示例を示す図、図１０は図１のデジタルカメラに適用可能な他のモードの選択画面表示例を示す図である。
【００３５】
デジタルカメラ１０１で撮像した画像をプリンタ１０２でプリントアウトする場合にデジタルカメラ１０１においては、ＣＰＵ２０１により所定の手順に従う制御動作が行われる。まず、図５に示すように、ステップＳ５０１でスイッチ４０８の押下により出されたプリンタ１０２との通信開始指示を受けて赤外線Ｉ／Ｆ１０３のＩｒＤＡ通信制御部２１２に通信を開始するように指示し、ＩｒＤＡの通信プロトコルに従いプリンタ１０２との通信コネクションを赤外線Ｉ／Ｆ１０３を介して設定する。
【００３６】
次いで、ステップＳ５０２に進み、プリンタ１０２からのプリントデータ変換ソフト要求を待ち、プリンタ１０２からのプリントデータ変換ソフト要求を受信すると、ステップＳ５０３でこのプリンタデータ変換ソフト要求に応答してプリントデータ変換ソフトをＲＯＭ２０２から読み出して赤外線Ｉ／Ｆ１０３を介してプリンタ１０２に送信する。
【００３７】
続くステップＳ５０４では、液晶制御部２０９にプリントモード設定用ダイヤログデータを送出し、プリントモード設定用ダイヤログデータを液晶表示部２０８に表示するように液晶制御部２０９を制御する。この制御により液晶表示部２０８の表示画面４０２には、例えば図９に示すように、ＨＱモード、ＨＳモードの各プリントモードの選択画面が表示される。このＨＱモードとは高品位印刷を指示するモードであり、ＨＳモードとは高速印刷を指示するモードである。
【００３８】
次いで、ステップＳ５０５に進み、入力ポート２１０を介してスイッチ群２１１の各スイッチの操作状況を監視する監視処理を開始し、続くステップＳ５０６で、スイッチ４０８の押下後にプリントモードの選択スイッチとして割り当てられたモード切換スイッチ４０５、画像データ選択スイッチ４０６、プリントスイッチ４０８の押下を待つ。いずれかのスイッチが押下されると、ステップＳ５０７で押下されたスイッチにより選択指示されたモードがＨＱモードであるか否かを判定し、選択指示されたモードがＨＱモードであるときにはステップＳ５０８に進み、ＨＱモードの設定要求を赤外線Ｉ／Ｆ１０３を介してプリンタ１０２に送信する。選択指示されたモードがＨＱモードでないときには、選択指示されたモードがＨＳモードであると判定されてステップＳ５０９に進み、ＨＳモードの設定要求を赤外線Ｉ／Ｆ１０３を介してプリンタ１０２に送信する。
【００３９】
選択指示されたプリントモードの設定要求を送信した後、ステップＳ５１０でプリンタ１０２からの画像データ送信要求を待ち、プリンタ１０２からの画像データ送信要求を受信すると、図６に示すステップＳ５１１に進む。
【００４０】
ステップＳ５１１では、フラッシュメモリ２０４から画像データを読み出し、該画像データを赤外線Ｉ／Ｆ１０３を介してプリンタ１０２に送信する。具体的には、フラッシュメモリ２０４に蓄積されている画像データを内部バス２１４を介してＩｒＤＡ通信制御部２１２に転送し、ＩｒＤＡ通信制御部２１２で転送された画像データを変調された信号に変換した後に赤外線トランシーバ２１３に出力し、赤外線トランシーバ２１３で変調された信号に対応する赤外線１０５を送信することにより、画像データのプリンタ１０２への送信が行われることになる。
【００４１】
画像データの送信が完了すると、ステップＳ５１２に進み、デジタルカメラ１０１とプリンタ１０２との間の通信切断要求を赤外線Ｉ／Ｆ１０３を介してプリンタ１０２に送信し、続くステップＳ５１３では、プリンタ１０２との通信コネクションを切断する赤外線通信切断処理をＩｒＤＡの通信プロトコルに従って行い、本処理を終了する。
【００４２】
これに対し、プリンタ１０２においては、ＣＰＵ３０１により所定の手順に従う制御動作が行われる。まず、図７に示すように、ステップＳ６０１でデジタルカメラ１０１との通信開始指示を受けて赤外線Ｉ／Ｆ１０４のＩｒＤＡ通信制御部３０５に通信を開始するように指示し、ＩｒＤＡの通信プロトコルに従いデジタルカメラ１０１との通信コネクションを赤外線Ｉ／Ｆ１０４を介して設定する。
【００４３】
次いで、ステップＳ６０２に進み、デジタルカメラ１０１へプリントデータ変換ソフト要求を赤外線Ｉ／Ｆ１０４を介して送信し、続くステップＳ６０３でデジタルカメラ１０１からのプリントデータ変換ソフトの受信を待つ。プリントデータ変換ソフトの受信が開始されると、ステップＳ６０４に進み、プリンタデータ変換ソフトを受信し、受信したプリントデータ変換ソフトをＲＡＭ３０３に格納する。
【００４４】
プリントデータ変換ソフトの受信が完了すると、ステップＳ６０５に進み、プリントデータ変換ソフトを起動し、デジタルカメラ１０１の画像データのプリント可能環境をプリンタ１０２内に構築する。
【００４５】
次いで、ステップＳ６０６に進み、デジタルカメラ１０１からのプリントモード設定要求を待ち、プリントモード設定要求を受信すると、ステップＳ６０７で要求されたプリントモードがＨＱモードであるか否かを判定し、要求されたプリントモードがＨＱモードであるときには、図８に示すステップＳ６０８に進み、要求されたプリントモードがＨＱモードでないときには、要求されたプリントモードがＨＳモードであると判定して図８に示すステップＳ６１４に進む。
【００４６】
ステップＳ６０８では、図８に示すように、プリントデータ変換ソフトに対しプリントモードをＨＱモードに設定する。このＨＱモードの設定によりデジタルカメラ１０１からの画像データをＨＱモードに対応するプリントデータへ変換する環境が設定される。続くステップＳ６０９では、デジタルカメラ１０１に対し画像データ送信要求を赤外線Ｉ／Ｆ１０４を介して送信する。
【００４７】
次いで、ステップＳ６１０で画像データ送信要求に応答してデジタルカメラ１０１から送信された赤外線１０５を受信し、この赤外線１０５から画像データを取り出し、続くステップＳ６１１で画像データをＨＱモードに対応するプリントデータに変換し、そしてステップＳ６１２でＨＱモードに対応するプリンタエンジン制御を行い、このＨＱモードのプリントデータをプリンタエンジン制御回路３０８に内部バス３１０を介して転送する。次いでステップＳ６１３で画像データの受信が終了したか否かを判定し、画像データの受信が終了していないときには、上述のステップＳ６１０に戻り、該ステップからステップＳ６１３までの処理を画像データの受信が終了するまで繰り返す。
【００４８】
画像データの受信が終了すると、ステップＳ６２０に進み、デジタルカメラ１０１からの通信切断要求を受信するまで待ち、通信切断要求を受信すると、ステップＳ６２１で、デジタルカメラ１０１との通信コネクションを赤外線Ｉ／Ｆ１０４を介して切断する赤外線通信切断処理をＩｒＤＡの通信プロトコルに従って行い、本処理を終了する。
【００４９】
ステップＳ６１４では、図８に示すように、プリントデータ変換ソフトに対しプリントモードをＨＳモードに設定する。このＨＳモードの設定によりデジタルカメラ１０１からの画像データをＨＳモードに対応するプリントデータへ変換する環境が設定される。続くステップＳ６１５では、デジタルカメラ１０１に対し画像データ送信要求を赤外線Ｉ／Ｆ１０４を介して送信する。
【００５０】
次いで、ステップＳ６１６で画像データ送信要求に応答してデジタルカメラ１０１から送信された赤外線１０５を受信し、この赤外線１０５から画像データを取り出し、続くステップＳ６１７で画像データをＨＳモードに対応するプリントデータに変換し、そしてステップＳ６１８でＨＳモードに対応するプリンタエンジン制御を行い、このＨＳモードのプリントデータをプリンタエンジン制御回路３０８に内部バス３１０を介して転送する。次いでステップＳ６１９で画像データの受信が終了したか否かを判定し、画像データの受信が終了していないときには、上述のステップＳ６１６に戻り、該ステップからステップＳ６１９までの処理を画像データの受信が終了するまで繰り返す。
【００５１】
画像データの受信が終了すると、ステップＳ６２０に進み、デジタルカメラ１０１からの通信切断要求を受信するまで待ち、通信切断要求を受信すると、ステップＳ６２１で、デジタルカメラ１０１との通信コネクションを赤外線Ｉ／Ｆ１０４を介して切断する赤外線通信切断処理をＩｒＤＡの通信プロトコルに従って行い、本処理を終了する。
【００５２】
このように、本実施の形態の画像プリントシステムでは、デジタルカメラ１０１で撮像した画像をプリンタ１０２でプリントアウトする場合、デジタルカメラ１０１とプリンタ１０２との間で、それぞれの赤外線Ｉ／Ｆ１０３，１０４を介して赤外線１０５をやり取りすることにより通信コネクションを設定し、プリントデータ変換ソフトを赤外線１０５によりプリンタ１０２に送信し、プリンタ１０２上でプリントデータ変換ソフトを起動した後に、デジタルカメラ１０１から画像データを赤外線１０５によりプリンタ１０２に送信し、プリンタ１０２上で起動されたプリントデータ変換ソフトにより画像データをプリントデータに変換するから、従来のようにパーソナルコンピュータをデジタルカメラ１０１とプリンタ１０２との間に介在させることなくデジタルカメラ１０１で撮像した画像をプリンタ１０２から直接プリントアウトすることができ、デジタルカメラ１０１で撮像した画像のプリンアウトのための操作に手間が掛からない。
【００５３】
なお、本実施の形態では、プリントモードの設定において、ＨＱモードとＨＳモードとの内のいずれか一方のモードを選択する例について説明したが、他のモードを設定するように構成することも可能である。例えば、プリンタがインクジェットプリンタからなるときには、疑似中間調処理を行う必要がある。この疑似中間調処理にいくつかの種類があり、その例としてはＥＤ（誤差拡散方法）、ディザ法などがあり、この疑似中間調処理の種類を選択可能なようにすることも可能である。疑似中間調処理の種類を選択するために上述のプリントモードの選択と同様に、図１０に示すように、液晶表示部２０８の表示画面４０２にＥＤ、ディザのダイヤログを表示し、いずれか一方をスイッチ操作で選択することにより、ユーザが所望する種類の疑似中間調処理を設定することができる。
【００５４】
また、上述の設定の以外に、カラーマッチングの設定などの他のモード設定を行うことも可能であり、このモード設定毎に対応するダイヤログを液晶表示部２０８に表示してスイッチ操作に応じて選択指示を行うようにすれば、各種のモード設定を容易に行うことができるようになる。
【００５５】
さらに、本実施の形態では、デジタルカメラ１０１にプリントデータ変換ソフトを搭載し、デジタルカメラ１０１で撮像した画像をプリンタ１０２でプリントアウトする際にプリントデータ変換ソフトをプリンタ１０２に送信するようにしているが、これに代えて、デジタルカメラ１０１の画像データに対応するプリントデータ変換ソフトをプリンタ１０２に予め搭載するように構成することもできる。また、プリントデータ変換ソフトの全てをプリンタ１０２に搭載せずにその一部を搭載し、他の部分をデジタルカメラ１０１に搭載し、デジタルカメラ１０１で撮像した画像をプリンタ１０２でプリントアウトする際にプリントデータ変換ソフトの他の部分をプリンタ１０２に送信するようにしてもよい。例えばＪＰＥＧ形式で圧縮された画像データを解凍するソフト部分のみをデジタルカメラ１０１から転送するようにし、解凍後の画像データをプリントデータに変換するソフト部分をプリンタ１０２に搭載するようにしてもよい。
【００５６】
さらに、本実施の形態では、ＩｒＤＡ方式の赤外線通信方式を用いているが、これに代えて例えばＡＳＫ方式の赤外線通信方式を用いることもできる。また、音波、電波を利用した他の無線通信方式を用いることもでき、例えば、ＰＨＳなどの時分割デジタル通信方式、スプクトラム拡散方式などの電波方式を用いることができる。
【００５７】
さらに、本実施の形態では、プリンタ１０２においてプリンタデータ変換ソフトをＲＡＭ３０２に格納するようにしているが、これに代えてハードディスク、メモリカードなどの記憶手段を設け、この記憶手段にプリントデータ変換ソフトを格納するようにしてもよい。
【００５８】
さらに、本実施の形態では、デジタルスチルカメラが撮像した画像をプリントアウトする例について説明したが、デジタルビデオカメラのスチルモードで撮影した画像をプリントアウトする場合にも適用可能であることはいうまでもない。
【００５９】
（第２の実施の形態）
次に、本発明の第２の実施の形態について図１１を参照しながら説明する。図１１は本発明の第２の実施の形態に係る画像プリントシステムの構成を示すブロック図である。
【００６０】
本実施の形態は、上述の第１の実施の形態に対しプリントデータ変換ソフトをパーソナルコンピュータからプリンタに転送する点で異なる。
【００６１】
本実施の形態の画像プリントシステムは、図１１に示すように、ＩｒＤＡ方式の赤外線Ｉ／Ｆが設けられているデジタルカメラ（図示せず）と、ＩｒＤＡ方式の赤外線Ｉ／Ｆ１０４が設けられているプリンタ１０２とを備え、デジタルカメラとプリンタ１０２との間では、それぞれの赤外線Ｉ／Ｆを介して赤外線をやり取りすることにより通信が行われる。デジタルカメラで撮像した画像をプリントアウトするときには、デジタルカメラの画像データが赤外線Ｉ／Ｆを介して送信され、プリンタ１０２は赤外線Ｉ／Ｆ１０４を介して画像データを受信する。取り出された画像データはプリンタ１０２上で起動されたプリントデータ変換ソフトにより印刷処理可能なプリントデータに変換され、このプリントデータに基づき該データに対応する画像のプリントアウトが行われる。
【００６２】
このプリントデータ変換ソフトはパーソナルコンピュータ（以下、ＰＣ）９０１に搭載され、プリンタ１０２からのプリントデータ変換ソフト送信要求に応答してＰＣ９０１からその赤外線Ｉ／Ｆ９０２を介して赤外線９０３として送信される。プリンタ１０２はＰＣ９０１から送信された赤外線９０３を赤外線Ｉ／Ｆ１０４を介して受信し、赤外線９０３からプリントデータ変換ソフトを取り出す。このプリンタデータ変換ソフトはプリンタ１０２内のＲＡＭに保持される。このＰＣ９０１に設けられている赤外線Ｉ／Ｆ９０２はＩｒＤＡ方式によるものであり、このプリントデータ変換ソフトの送信のための通信プロトコルは上述の実施の第１形態と同様にＩｒＤＡ方式に基づきプロトコルが用いられる。
【００６３】
このプリントデータ変換ソフト送信要求を出すタイミングは、例えばプリンタ電源立ち上げ完了後所定時間経過時点に設定されている。なお、このタイミングに代えて、例えば、画像データの受信前の他の時期にプリントデータ変換ソフト送信要求を出すように設定することもできる。また、プリントデータ変換ソフト受信要求をＰＣ９０１から出し、この要求に応答してプリンタ１０２が送信許可メッセージをＰＣ９０１に送出するようにすることもできる。
【００６４】
（第３の実施の形態）
次に、本発明の第３の実施の形態について図１２を参照しながら説明する。図１２は本発明の第３の実施の形態に係る画像プリントシステムの構成示すブロック図である。
【００６５】
本実施の形態は、上述の第１の実施の形態に対しデジタルカメラ１０１とプリンタ１０２との間の通信をシリアル有線通信手段を介して行う点で異なり、それ以外の構成は第１の実施の形態に同じである。
【００６６】
本実施の形態の画像プリントシステムでは、図１２に示すように、デジタルカメラ１０１とプリンタ１０２とをシリアル通信ケーブル１２０１で接続し、このデジタルカメラ１０１とプリンタ１０２との間におけるシリアル通信はＵＳＢ（Univesal Serial Bus）方式に従って行われる。このＵＳＢ方式の通信方式により電力をプリンタ１０２からデジタルカメラ１０１へ供給することも可能である。なお、このＵＳＢ方式に代えてＩＥＥＥ１３９４に規定の通信方式を用いることもできる。
【００６７】
（第４の実施の形態）
次に、本発明の第４の実施の形態について図１３ないし図１７を参照しながら説明する。図１３ないし図１５は本発明の第４の実施の形態に係る画像プリントシステムにおけるデジタルカメラで撮像した画像をプリンタでプリントアウトする場合のデジタルカメラのＣＰＵによる制御動作を示すフローチャート、図１６は本発明の第４の実施の形態に係る画像プリントシステムにおけるデジタルカメラで撮像した画像をプリンタでプリントアウトする場合のプリンタのＣＰＵによる制御動作を示すフローチャート、図１７は本発明の第４の実施の形態に係る画像プリントシステムにおけるプリンタからの画像出力例を示す図である。
【００６８】
本実施の形態は、上述の第１の実施の形態に対し、デジタルカメラ１０１において画像データをプリントデータ変換ソフトによりプリントデータに変換し、このプリントデータとともに撮影時刻などの日付データを含む付加情報をプリンタに送信し、プリンタ１０２において受信したプリントデータに基づき該データに対応する画像を用紙にプリントするとともに、受信した付加情報を用紙における画像のプリント領域の外側領域にプリントする点で異なり、デジタルカメラ１０１およびプリンタ１０２の構成およびそれらの間の通信方式は同じである。
【００６９】
まず、デジタルカメラ１０１で撮像した画像をプリンタでプリントアウトする場合のデジタルカメラ１０１のＣＰＵ２０１による制御動作の詳細について図１３ないし図１５を参照しながら説明する。
【００７０】
デジタルカメラ１０１においては、図１３に示すように、ステップ１３０１で電源スイッチ４０８（図４に示す）の押下を待ち、電源スイッチ４０８が押下されると、ステップＳ１３０２でこの電源スイッチ４０８の押下を入力ポート２１０を介して認識し、各ブロックへの電源供給を行う。
【００７１】
次いで、ステップＳ１３０３でモード切換スイッチ４０５（図４に示す）の操作状態に基づき撮影モードが設定されているか否かを判定し、撮影モードが設定されているときには、ステップＳ１３０４に進み、撮像部２０５で撮像した画像を画像データに変換して画像メモリ２０７に一旦に蓄積するとともに、この画像データを液晶制御部２０９に供給して液晶表示部２０８に表示するように制御する。この画像データの液晶表示部２０８への表示により液晶表示部２０８はファインダの役割を果たすことになる。
【００７２】
続くステップＳ１３０５では、入力ポート２１０を介してシャッタースイッチ４０４（図４に示す）が押下されたか否かを監視し、シャッタースイッチ４０４の押下が検出されないときには、再びステップＳ１３０３に戻り、該ステップからの処理を繰り返す。シャッタースイッチ４０４の押下が検出されると、ステップＳ１３０６に進み、画像メモリ２０７の画像データを内部バス２１４を介してフラッシュメモリ２０４の第１の領域に転送して格納する。続くステップＳ１３０７では、計時装置２１５から日付データを取得し、この日付データをフラッシュメモリ２０４の第１の領域に対応付けられている第２の領域に格納する。
【００７３】
次いで、ステップＳ１３０８に進み、再度電源スイッチ４０４の押下の有無を入力ポート２１０を介して検出し、電源スイッチ４０４の押下が検出されないときには、上述のステップＳ１３０３に戻り、撮影モードの設定が継続していれば、ステップＳ１３０４からの処理を繰り返す。なお、この繰返し可能数すなわち撮影可能回数はフラッシュメモリ２０４の容量によって決定される。電源スイッチ４０４の押下が検出されると、ステップＳ１３０９に進み、各ブロックへの電源供給を停止し、本処理を終了する。なお、計時装置２１５は二次電池２１６によりバックアップされているから、この各ブロックへの電源供給停止に関係なく計時動作を続行する。
【００７４】
ステップＳ１３０３において撮影モードが設定されていないすなわち再生モードが設定されていると判定されると、図１４に示すステップＳ１３１０に進む。ステップＳ１３１０では、図１４に示すように、フラッシュメモリ２０４から画像データを読み出し、この画像データを液晶制御部２０９に供給して液晶表示部２０８に表示するように制御する。この画像データの液晶表示部２０８への表示により液晶表示部２０８はモニタの役割を果たすことになる。
【００７５】
続くステップＳ１３１１では、入力ポート２１０を介してプリントスイッチ４０８（図４に示す）が押下されたか否かを検出し、プリントスイッチ４０８の押下が検出されないときには、図１５に示すステップＳ１３１８に進む。ステップＳ１３１８では、入力ポート２１０を介して画像選択スイッチ４０６（図４に示す）が押下されたか否かを検出し、画像選択スイッチ４０６の押下が検出されると、ステップＳ１３１９に進み、画像選択スイッチ４０６の押下が検出されないと、再びステップＳ１３０３に戻る。ステップＳ１３１９では、フラッシュメモリ２０４から次の画像データを読み出し、この画像データを液晶制御部２０９に供給して液晶表示部２０８に表示するように制御し、この画像データを表示した後ステップＳ１３１１に戻る。
【００７６】
ステップＳ１３１１においてプリントスイッチ４０８の押下が検出されると、ステップＳ１３１２に進み、プリントデータ変換ソフトによりフラッシュメモリ２０４から画像データを読み出してプリントデータに変換し、続くステップＳ１３１３でプリンタデータを赤外線Ｉ／Ｆ１０３から赤外線１０５によりプリンタ１０２へ送信する。この赤外線Ｉ／Ｆ１０３からのプリントデータの送信は上述の実施の第１形態と同様に行われる。
【００７７】
プリントデータの送信後、ステップＳ１３１４に進み、フラッシュメモリ２０４から画像データに対応付けられている日付データを読み出して文字コードに変換し、この文字コードを赤外線Ｉ／Ｆ１０３から赤外線１０５によりプリンタ１０２に送信するとともに、続くステップＳ１３１５でＲＯＭ２０２に予め格納されているデジタルカメラ名称を読み出して文字コードに変換し、この文字コードを赤外線Ｉ／Ｆ１０３から赤外線によりプリンタ１０２に送信する。
【００７８】
次いで、ステップＳ１３１６に進み、再度電源スイッチ４０４の押下の有無を入力ポート２１０を介して検出し、電源スイッチ４０４の押下が検出されないときには、上述のステップＳ１３１８（図１５に示す）に戻り、ここで画像選択スイッチ４０６の押下が検出されると、ステップＳ１３１９に進み、フラッシュメモリ２０４から次の画像データを読み出し、この画像データを液晶制御部２０９に供給して液晶表示部２０８に表示するように制御し、この画像データを表示した後ステップＳ１３１１に戻り、ここでプリントスイッチ４０８が押下されれば、この次の画像データはプリントデータに変換された後にプリンタ１０２へ送信されることになる。
【００７９】
ステップＳ１３１６において電源スイッチ４０４の押下が検出されると、ステップＳ１３１７に進み、各ブロックへの電源供給を停止し、本処理を終了する。
【００８０】
これに対し、プリンタ１０２においては、図１６に示すように、まずステップＳ１６０１で赤外線の受信を待ち、赤外線を受信すると、ステップＳ１６０２で受信した赤外線が示すデータがプリントデータであるか否かを判定する。プリントデータであれば、ステップＳ１６０３でこの受信したプリントデータをＲＡＭ３０３に一旦格納し、続くステップＳ１６０４でＲＡＭ３０３に格納したプリントデータをプリンタエンジン制御回路３０８へ内部バス３１０を介して転送する。プリントデータを受けたプリンタエンジン制御回路３０８は、該プリントデータに基づき対応する画像を用紙にプリントするようにプリンタエンジン３０９を制御する。
【００８１】
次いでステップＳ１６０５に進み、プリントデータのプリントが終了したか否かを判定し、プリントデータのプリントが終了していないときにはステップＳ１６０１に戻り、該ステップＳ１６０１からステップＳ１６０５までの処理をプリントデータのプリントが終了するまで繰り返す。
【００８２】
プリントデータのプリントが終了すると、ステップＳ１６０６に進み、デジタルカメラ１０１からプリントデータの次に送信された文字コード情報を受信するまで待ち、文字コード情報を受信すると、ステップＳ１６０７に進み、受信した文字コード情報に対応するフォントデータをＲＯＭ３０２から読み出し、続くステップＳ１６０８で読み出したフォントデータをプリンタエンジン制御回路３０８へ内部バス３１０を介して転送する。フォントデータを受けたプリンタエンジン制御回路３０８は、該フォントデータに基づき対応する文字を用紙における画像プリント領域の外側領域にプリントするようにプリンタエンジン３０９を制御する。
【００８３】
次いでステップＳ１６０９に進み、文字コード情報のプリントが終了したか否かを判定し、文字コード情報のプリントが終了していないときにはステップＳ１６０１に戻り、該ステップＳ１６０１からステップＳ１６０２およびステップＳ１６０６を経てステップＳ１６０９までの処理を文字コード情報のプリントが終了するまで繰り返す。
【００８４】
文字コード情報のプリントが終了すると、ステップＳ１６１０に進み、ＩｒＤＡの通信プロトコルに従いデジタルカメラ１０１との通信コネクションを切断し、用紙を出力して本処理を終了する。
【００８５】
このようにして、デジタルカメラで撮像された画像（液晶表示部に表示された選択画像）と該画像のプリント領域の外側領域に日付情報とともにデジタルカメラ名称とがプリントされている用紙がプリンタから出力される。例えば、図１７に示すように、出力された用紙７０１には、デジタルカメラで撮像された画像（液晶表示部に表示された選択画像）７０２がプリントされ、このプリントされた画像７０２のプリント領域の外側領域（図中の下側領域）には、日付情報とともにデジタルカメラ名称（ＡＢＣ）７０３がプリントされている。
【００８６】
このように、本実施の形態の画像プリントシステムでは、デジタルカメラで撮像した画像をプリンタでプリントアウトする場合、デジタルカメラとプリンタとの間で赤外線通信を行うことによって、従来のようにパーソナルコンピュータをデジタルカメラとプリンタとの間に介在させることなくデジタルカメラで撮像した画像をプリンタから直接プリントアウトすることができ、また、デジタルカメラで撮像した画像とともにその画像に対応付けられている付加情報がプリンタに送信され、プリンタで画像の付加情報が用紙の画像プリント領域の外側領域に自動的にプリントされるから、その付加情報から画像の撮影日、使用したカメラなどを知ることができ、プリントアウトされた用紙を用いて撮像した画像の管理を容易に行うことができる。
【００８７】
なお、本実施の形態では、撮影日などの日付データとデジタルカメラ名称とからなる付加情報を用いているが、さらにデジタルカメラのシャッタースピード、接写、広角、望遠などの設定した撮影モード、画素数、画像データの圧縮率などを含む付加情報を画像データに対応付けて格納し、この付加情報を画像データとともにプリントするように設定することも可能であり、この場合、さらに詳細な撮像時の条件、設定内容がプリントアウトの結果から把握することが可能になる。
【００８８】
また、付加情報の項目を適宜選択可能にするための手段をデジタルカメラに設けるように構成することもできる。
【００８９】
さらに、付加情報の項目の中にキー入力によって入力する項目例えばタイトル、撮影場所、天候、メモなどの項目を設定し、この項目を選択して対応する情報をキー入力によって書き込むようにすることもできる。
【００９０】
（第５の実施の形態）
次に、本発明の第５の実施の形態について図１８ないし図２０を参照しながら説明する。図１８および図１９は本発明の第５の実施の形態に係る画像プリントシステムにおけるデジタルカメラで撮像した画像をプリンタでプリントアウトする場合のプリンタのＣＰＵによる制御動作を示すフローチャート、図２０は本発明の第５の実施の形態に係る画像プリントシステムにおけるプリンタからの画像出力例を示す図である。
【００９１】
本実施の形態は、上述の第４の実施の形態に対し、デジタルカメラから付加情報がプリンタに送信されないときに、プリンタにおいて付加情報を生成し、この生成した付加情報を用紙における画像のプリント領域の外側領域にプリントする点で異なり、デジタルカメラおよびプリンタの構成およびそれらの間の通信方式は同じである。
【００９２】
本実施の形態においては、図１８に示すように、ステップＳ１８０６を除きステップＳ１８０１からステップＳ１８１１までの処理内容が上述の実施の第４形態における図１６に示すステップＳ１６０１からステップＳ１６１０までの処理内容に同じであり、同じステップの説明は省略または簡単に述べ、異なるステップについて詳細に説明する。
【００９３】
図１８を参照するに、プリントデータのプリントが終了すると、ステップＳ１８０６において、デジタルカメラ１０１からプリントデータとともに付加情報が送信されたか否かを判定し、付加情報が送信されていないときには、図１９に示すステップＳ１８１２に進む。ステップＳ１８１２では、図１９に示すように、計時装置３１２から日付データを取得し、続くステップＳ１８１３では、取得した日付データを文字コードに変換する。
【００９４】
次いで、ステップＳ１８１４に進み、ＲＯＭ３０２から文字コードに対応するフォントデータを読み出し、続くステップＳ１８１５で読み出したフォントデータをプリンタエンジン制御回路３０８へ内部バス３１０を介して転送する。フォントデータを受けたプリンタエンジン制御回路３０８は、該フォントデータに基づき対応する文字（プリントした日付）を用紙における画像プリント領域の外側領域にプリントするようにプリンタエンジン３０９を制御する。
【００９５】
次いで、ステップＳ１８１６に進み、ＲＯＭ３０２からプリンタ名称の文字コードを取得し、続くステップＳ１８１７で、ＲＯＭ３０２から取得した文字コードに対応するフォントデータを読み出し、そしてステップＳ１８１８で読み出したフォントデータをプリンタエンジン制御回路３０８へ内部バス３１０を介して転送する。フォントデータを受けたプリンタエンジン制御回路３０８は、該フォントデータに基づき対応する文字（プリント名称）を用紙における画像プリント領域の外側領域にプリントするようにプリンタエンジン３０９を制御する。
【００９６】
次いでステップＳ１８１１に進み、ＩｒＤＡの通信プロトコルに従いデジタルカメラとの通信コネクションを切断し、用紙を出力して本処理を終了する。
【００９７】
このようにして、デジタルカメラから付加情報が送信されないときには、プリンタにおいて付加情報（プリントの日付、プリンタ名称）が生成され、デジタルカメラで撮像された画像と該画像のプリント領域の外側領域に上記生成された付加情報とがプリントされている用紙がプリンタから出力される。例えば、図２０に示すように、デジタルカメラ１０１で撮像された画像（液晶表示部２０８に表示された選択画像）９０２がプリントされ、このプリントされた画像９０２のプリント領域の外側領域（図中の下側領域）に印刷日およびプリンタ名称（ＸＹＺ）９０３がプリントされた用紙９０１が出力される。
【００９８】
このように、本実施の形態の画像プリントシステムでは、デジタルカメラ１０１から付加情報が送信されないときにプリンタ１０２において付加情報を生成し、この生成した付加情報を用紙における画像のプリント領域の外側領域に自動的にプリントするから、その付加情報から画像の印刷日、使用したプリンタなどを知ることができ、この印刷日などから画像の撮像日を推測することが可能になる。
【図面の簡単な説明】
【００９９】
【図１】本発明の第１の実施の形態に係る画像プリントシステムの構成を示すブロック図である。
【図２】図１のデジタルカメラの構成を示すブロック図である。
【図３】図１のプリンタの構成を示すブロック図である。
【図４】図１のデジタルカメラの背面側を示す外観図である。
【図５】図１のデジタルカメラで撮像した画像をプリンタでプリントアウトする場合におけるデジタルカメラのＣＰＵによる制御動作を示すフローチャートである。
【図６】図１のデジタルカメラで撮像した画像をプリンタでプリントアウトする場合におけるデジタルカメラのＣＰＵによる制御動作を示すフローチャートである。
【図７】図１のデジタルカメラで撮像した画像をプリンタでプリントアウトする場合におけるプリンタのＣＰＵによる制御動作を示すフローチャートである。
【図８】図１のデジタルカメラで撮像した画像をプリンタでプリントアウトする場合におけるプリンタのＣＰＵによる制御動作を示すフローチャートである。
【図９】図１のデジタルカメラにおけるプリントモードの選択画面表示例を示す図である。
【図１０】図１のデジタルカメラに適用可能な他のモードの選択画面表示例を示す図である。
【図１１】本発明の第２の実施の形態に係る画像プリントシステムの構成を示すブロック図である。
【図１２】本発明の第３の実施の形態に係る画像プリントシステムの構成示すブロック図である。
【図１３】本発明の第４の実施の形態に係る画像プリントシステムにおけるデジタルカメラで撮像した画像をプリンタでプリントアウトする場合のデジタルカメラのＣＰＵによる制御動作を示すフローチャートである。
【図１４】本発明の第４の実施の形態に係る画像プリントシステムにおけるデジタルカメラで撮像した画像をプリンタでプリントアウトする場合のデジタルカメラのＣＰＵによる制御動作を示すフローチャートである。
【図１５】本発明の第４の実施の形態に係る画像プリントシステムにおけるデジタルカメラで撮像した画像をプリンタでプリントアウトする場合のデジタルカメラのＣＰＵによる制御動作を示すフローチャートである。
【図１６】本発明の第４の実施の形態に係る画像プリントシステムにおけるデジタルカメラで撮像した画像をプリンタでプリントアウトする場合のプリンタのＣＰＵによる制御動作を示すフローチャートである。
【図１７】本発明の第４の実施の形態に係る画像プリントシステムにおけるプリンタからの画像出力例を示す図である。
【図１８】本発明の第５の実施の形態に係る画像プリントシステムにおけるデジタルカメラで撮像した画像をプリンタでプリントアウトする場合のプリンタのＣＰＵによる制御動作を示すフローチャートである。
【図１９】本発明の第５の実施の形態に係る画像プリントシステムにおけるデジタルカメラで撮像した画像をプリンタでプリントアウトする場合のプリンタのＣＰＵによる制御動作を示すフローチャートである。
【図２０】本発明の第５の実施の形態に係る画像プリントシステムにおけるプリンタからの画像出力例を示す図である。
【図２１】従来の画像プリントシステムの構成例を示す図である。
【符号の説明】
【０１００】
１０１  デジタルカメラ
１０２  プリンタ
１０３，１０４  赤外線Ｉ／Ｆ
１０５  赤外線
２０１，３０１  ＣＰＵ
２０２，３０２  ＲＯＭ
２０３，３０３  ＲＡＭ
２０４  フラッシュメモリ
２０５  撮像部
２０８  液晶表示部
２１１，３０７  スイッチ群
２１５，３１１  計時装置
３０８  プリンタエンジン制御回路
３０９  プリンタエンジン
９０１  パーソナルコンピュータ
１２０１  シリアル通信ケーブル
【図１】
2005110303.tif 000003
【図２】
2005110303.tif 000004
【図３】
2005110303.tif 000005
【図４】
2005110303.tif 000006
【図５】
2005110303.tif 000007
【図６】
2005110303.tif 000008
【図７】
2005110303.tif 000009
【図８】
2005110303.tif 000010
【図９】
2005110303.tif 000011
【図１０】
2005110303.tif 000012
【図１１】
2005110303.tif 000013
【図１２】
2005110303.tif 000014
【図１３】
2005110303.tif 000015
【図１４】
2005110303.tif 000016
【図１５】
2005110303.tif 000017
【図１６】
2005110303.tif 000018
【図１７】
2005110303.tif 000019
【図１８】
2005110303.tif 000020
【図１９】
2005110303.tif 000021
【図２０】
2005110303.tif 000022
【図２１】
2005110303.tif 000023